(57)【要約】      （修正有）【課題】  冷蔵室の天井ダクト内の庫内照明灯は、ランプの発する熱により冷気の温度を上げるように作用するため好ましくない。また、ランプの下方を覆うランプカバーや周辺の合成樹脂部品とは、間隔をあけた配置が必要であり、冷蔵室の貯蔵有効容積が狭められる。ＬＥＤ（発光ダイオード）を採用し、庫内側から天井部に取り付け易くした照明装置を提供する。【解決手段】  天井部に庫内を照射するようにＬＥＤを取り付けるための合成樹脂製の保持部材を備え、この保持部材はＬＥＤを収納支持するＬＥＤ支持部と、このＬＥＤ支持部と回動連結状態に一体形成された挿入支持部とを備え、挿入支持部を庫内側から天井部に形成した受け部に挿入保持した状態でＬＥＤ支持部を天井部に取り付け、ＬＥＤと保持部材とが庫内側から光透過性カバーで覆われるようにする。【選択図】    図８
2007057157.tif 000002
【特許請求の範囲】
【請求項１】
冷却貯蔵庫本体の庫内の天井部に庫内照明灯を配置した冷却貯蔵庫において、前記天井部に前記庫内を照射する状態にＬＥＤ（発光ダイオード）を取り付けるための合成樹脂製の保持部材を備え、この保持部材は、前記ＬＥＤ（発光ダイオード）を収納支持するＬＥＤ支持部と、このＬＥＤ支持部と回動連結状態に一体形成された挿入支持部とを備え、前記挿入支持部を前記庫内側から前記天井部に形成した受け部に挿入保持した状態で、前記ＬＥＤ支持部が前記天井部に取り付けられ、前記ＬＥＤ（発光ダイオード）と前記保持部材とが前記庫内側から光透過性カバーで覆われたことを特徴とする冷却貯蔵庫の照明装置。
【請求項２】
冷却貯蔵庫本体の庫内の天井部に庫内照明灯を配置した冷却貯蔵庫において、前記冷却貯蔵庫本体の天井壁との間に冷気通路を保って前記庫内側に天井板が配置され、前記冷却貯蔵庫本体から延びるリード線が前記天井板を貫通した部分に前記庫内を照射する状態にＬＥＤ（発光ダイオード）を配置する合成樹脂製の保持部材を設け、この保持部材は、前記ＬＥＤ（発光ダイオード）を収納支持するＬＥＤ支持部と、このＬＥＤ支持部と回動連結状態に一体形成された挿入支持部とを備え、前記天井板には、前記庫内側から前記挿入支持部が挿入保持される受け部と前記ＬＥＤ支持部の取り付け部を備え、前記ＬＥＤ（発光ダイオード）と前記保持部材とを前記天井板の前記庫内側面に取り付けた光透過性カバーで覆ったことを特徴とする冷却貯蔵庫の照明装置。
【請求項３】
前記天井板に対する前記ＬＥＤ支持部の取り付けは、前記ＬＥＤ支持部の両側壁に形成した弾性係止部が、前記天井板に形成した固定側係止部に係合する関係であることを特徴とする請求項１または２に記載の冷却貯蔵庫の照明装置。
【請求項４】
前記ＬＥＤ（発光ダイオード）は、前記天井板の左右部分に配置されてそれぞれに前記保持部材にて取り付けられ、前記左右の前記ＬＥＤ（発光ダイオード）と前記保持部材とを一枚の前記光透過性カバーで覆ったことを特徴とする請求項２又は３に記載の冷却貯蔵庫の照明装置。
【発明の詳細な説明】
【技術分野】
【０００１】
本発明は、冷却貯蔵庫の庫内照明装置に関し、特に、庫内天井部に庫内照明装置を配置した技術に関する。
【背景技術】
【０００２】
冷蔵室の天井部に庫内照明灯の白熱灯を配置した場合、この白熱灯が連続点灯したとき、その熱によって周辺の合成樹脂部分が熱変形する虞があったものを改良した技術がある。この改良技術として、冷蔵室の天井に埋め込まれた天井ダクト内に庫内照明灯のランプが配設され、このランプを挟むようにハウジングが設けられ、このハウジングには後部に空気入口を、前部に空気出口を形成し、天井ダクトを流通する空気の一部がランプを冷却し、他の空気はハウジングの周りの流路を流動する構成の冷蔵庫がある。（特許文献１参照）。
【特許文献１】特開２００２−１６８５６０号公報
【０００３】
この冷蔵庫のランプは白熱灯や紫外線ランプであり、それが発する熱は冷蔵室を循環する冷気に吸収されるため、冷気の温度を上げるように作用するため好ましいものではない。また、白熱灯や紫外線ランプであるため、ランプの下方を覆うランプカバーや周辺の合成樹脂部品とは、間隔を存した配置が必要であり、それによって、冷蔵室の貯蔵有効容積が狭められることとなる。
【発明の開示】
【発明が解決しようとする課題】
【０００４】
本発明は、このような点に鑑みて、冷却貯蔵庫本体の庫内の天井部に庫内照明灯を配置した冷却貯蔵庫において、前記庫内照明灯としてＬＥＤ（発光ダイオード）を採用し、コンパクトな取り付け構造でもって、このＬＥＤ（発光ダイオード）を庫内側から天井部に取り付け易くした技術を提供するものである。
【課題を解決するための手段】
【０００５】
第１発明の冷却貯蔵庫の照明装置は、冷却貯蔵庫本体の庫内の天井部に庫内照明灯を配置した冷却貯蔵庫において、前記天井部に前記庫内を照射する状態にＬＥＤ（発光ダイオード）を取り付けるための合成樹脂製の保持部材を備え、この保持部材は、前記ＬＥＤ（発光ダイオード）を収納支持するＬＥＤ支持部と、このＬＥＤ支持部と回動連結状態に一体形成された挿入支持部とを備え、前記挿入支持部を前記庫内側から前記天井部に形成した受け部に挿入保持した状態で、前記ＬＥＤ支持部が前記天井部に取り付けられ、前記ＬＥＤ（発光ダイオード）と前記保持部材とが前記庫内側から光透過性カバーで覆われたことを特徴とする。
【０００６】
第２発明の冷却貯蔵庫の照明装置は、冷却貯蔵庫本体の庫内の天井部に庫内照明灯を配置した冷却貯蔵庫において、前記冷却貯蔵庫本体の天井壁との間に冷気通路を保って前記庫内側に天井板が配置され、前記冷却貯蔵庫本体から延びるリード線が前記天井板を貫通した部分に前記庫内を照射する状態にＬＥＤ（発光ダイオード）を配置する合成樹脂製の保持部材を設け、この保持部材は、前記ＬＥＤ（発光ダイオード）を収納支持するＬＥＤ支持部と、このＬＥＤ支持部と回動連結状態に一体形成された挿入支持部とを備え、前記天井板には、前記庫内側から前記挿入支持部が挿入保持される受け部と前記ＬＥＤ支持部の取り付け部を備え、前記ＬＥＤ（発光ダイオード）と前記保持部材とを前記天井板の前記庫内側面に取り付けた光透過性カバーで覆ったことを特徴とする。
【０００７】
第３発明の冷却貯蔵庫の照明装置は、第１発明または第２発明において、前記天井板に対する前記ＬＥＤ支持部の取り付けは、前記ＬＥＤ支持部の両側壁に形成した弾性係止部が、前記天井板に形成した固定側係止部に係合する関係であることを特徴とする。
【０００８】
第４発明は、第２発明又は第３発明において、前記ＬＥＤ（発光ダイオード）は、前記天井板の左右部分に配置されてそれぞれに前記保持部材にて取り付けられ、前記左右の前記ＬＥＤ（発光ダイオード）と前記保持部材とを一枚の前記光透過性カバーで覆ったことを特徴とする。
【発明の効果】
【０００９】
第１発明では、庫内照明灯が白熱灯のような発熱がないため、狭い部分に収納してもその周辺の合成樹脂製品が変形することはなく、庫内照明灯の収納箇所が占める容積が小さくなり、庫内容積を広くできる設計が達成できる。また、保持部材はＬＥＤ支持部と挿入支持部とが回動可能な結合であるため、ＬＥＤ（発光ダイオード）へのリード線が短い状態でも、ＬＥＤ支持部にＬＥＤ（発光ダイオード）を取り付けた状態で、天井部に設けた受け部に庫内側から挿入支持部を挿入し易くなり、取り付け作業がし易くなる。
【００１０】
第２発明では、庫内照明灯が白熱灯のような発熱がないため、狭い部分に収納してもその周辺の合成樹脂製品が変形することはなく、庫内照明灯の収納箇所が占める容積が小さくなり、庫内容積を広くできる設計が達成できる。また、保持部材はＬＥＤ支持部とリード線の配設部とが回動可能な結合であるため、ＬＥＤ（発光ダイオード）へのリード線が短い状態でも、ＬＥＤ支持部に基板を取り付けた状態で、天井部に設けた受け部に庫内側から挿入支持部を挿入し易く、受け部に挿入支持部を挿入した状態で、基板支持部を取り付ければよいため、保持部材を天井部に取り付ける作業がし易くなる。そして、ＬＥＤ（発光ダイオード）と保持部材とを庫内側から光透過性カバーで覆ったことにより、庫内への貯蔵物品がＬＥＤ（発光ダイオード）に当ることや、基板へ水が掛かることを防止できると共に、外観と庫内への照明効果が整う構成となる。
【００１１】
第３発明では、上記の効果に加えて、受け部に挿入支持部を挿入した状態で、ＬＥＤ支持部の両側壁の弾性係止部を固定側係止部に弾性係合させることにより、保持部材を天井部に保持できるため、片手操作でもって保持部材の取り付けが可能となる。なお、この取り付け状態で、保持部材の適所を天井部にネジ止めすることも可能である。
【００１２】
第４発明は、第２発明又は第３発明の効果に加えて、ＬＥＤ（発光ダイオード）が天井板の左右部分に配置されることにより、庫内を広く照明できる効果を奏することができると共に、左右の取り付け部を一枚の光透過性カバーで覆うことにより、庫内天井の外観と庫内への照明効果が整う構成となる。
【発明を実施するための最良の形態】
【００１３】
本発明に係る冷却貯蔵庫の照明装置は、冷却貯蔵庫本体の庫内の天井部に庫内照明灯を配置した冷却貯蔵庫において、前記天井部に前記庫内を照射する状態にＬＥＤ（発光ダイオード）を取り付けるための合成樹脂製の保持部材を備え、この保持部材は、前記ＬＥＤ（発光ダイオード）を収納支持するＬＥＤ支持部と、このＬＥＤ支持部と回動連結状態に一体形成された挿入支持部とを備え、前記挿入支持部を前記庫内側から前記天井部に形成した受け部に挿入保持した状態で、前記ＬＥＤ支持部が前記天井部に取り付けられ、前記ＬＥＤ（発光ダイオード）と前記保持部材とが前記庫内側から光透過性カバーで覆われたものであり、本発明の実施例を以下に記載する。
【実施例１】
【００１４】
本発明の実施の形態について説明する。図１は冷却貯蔵庫の正面図、図２は冷却貯蔵庫本体を正面から見た説明図、図３は冷却貯蔵庫の縦断側面図、図４はＬＥＤ（発光ダイオード）を取り付けた基板と保持部材の斜視図、図５は天井板の取り付け部と保持部材の斜視図、図６は保持部材に基板を収納した状態の斜視図、図７は天井板の下面斜視図、図８は天井板と保持部材と基板の冷蔵室における分解斜視図、図９は天井板に保持部材を取り付ける状態の斜視図、図１０は保持部材を取り付けた状態の天井板と光透過性カバーの分解斜視図、図１１は天井板に光透過性カバーを取り付けた状態の斜視図である。
【００１５】
図１乃至図３において、１は本発明の冷却貯蔵庫であり、冷凍冷蔵庫の形態を示している。冷却貯蔵庫１は、前面開口の本体２内を区画して複数の貯蔵室を形成し、これら各貯蔵室の前面は扉で開閉できる構成である。冷却貯蔵庫本体２は、外箱（外壁板）２Ａと内箱（内壁板）２Ｂとの間に発泡断熱材２Ｃを充填した断熱構造である。冷却貯蔵庫本体２内には、上部に冷蔵室３、その下方に冷凍室５と製氷室６が横並びに設けられ、その下方に野菜室４が配置された構成である。
【００１６】
冷蔵室３内には冷蔵室３の側壁に形成した棚受けに載置した複数段の棚３Ａが設けられている。冷蔵室３の前面開口は、冷却貯蔵庫本体２の一側部にヒンジ装置にて横方向に回動する回動式の冷蔵室扉１０にて開閉される。野菜室４の前面開口は、野菜室４内に設けた左右のレール１８Ａとローラ１８Ｂによる支持装置１８によって前後方向へ引き出し可能に支持した野菜容器１５と共に前方へ引き出される引き出し式扉１１にて閉塞されている。冷凍室５と製氷室６の前面開口は、冷却貯蔵庫本体２の一側部にヒンジ装置にて横方向に回動する回動式の扉１２にて閉塞されているが、冷凍室５と製氷室６の前面開口は、それぞれ別個の扉１２Ａ、１２Ｂ（図示せず）で閉じられるように構成してもよい。この場合、冷凍室５は野菜室４と同様に、冷凍室５内に設けた左右のレールに対して、前後方向へ引き出し可能に支持した容器を扉１２Ａと共に前方へ引き出される引き出し式とし、また、製氷室６は野菜室４と同様に、製氷室６内に設けた左右のレールに対して、前後方向へ引き出し可能に支持した後述の貯氷容器を扉１２Ｂと共に前方へ引き出される引き出し式とする構成でもよい。
【００１７】
上部に位置する冷蔵室３と、その下部に位置する横並びの冷凍室５並びに製氷室６との間は断熱仕切り壁１７Ａにて区画されており、横並びの冷凍室５並びに製氷室６とその下方の野菜室４との間は断熱仕切り壁１７Ｂにて区画されている。４５は冷却貯蔵庫本体２の背壁の前面側に配設した冷蔵室３の背壁部材であり、合成樹脂製背面板とその裏側に取り付けた発泡スチロール等の断熱材との組み合わせで構成され、冷蔵室３の背面側に上下方向の冷気通路（冷気ダクト）４３と、その左右両側に冷気通路（冷気ダクト）４３Ａ、４３Ｂを形成している。
【００１８】
冷凍室５と製氷室６は区画板４７Ａによって左側に冷凍温度に保たれる前面開口の製氷室６が、そして右側に冷凍温度に保たれる冷凍室５が区画形成され、製氷室６内には上部に自動製氷機７が配置され、その自動製氷機７の下方には上面開口の貯氷容器８が配置されている。貯氷容器８は、製氷室６の左右側壁に設けたレール６Ａに前後方向へ引き出し自在に支持されている。自動製氷機７は電動機構７Ａによって回転駆動される製氷皿７Ｂを備えており、製氷工程によって製氷皿７Ｂ内に作られた氷は、制御回路装置（図示せず）からの制御信号によって、電動機構によって製氷皿７Ｂを捻りつつ反転させてその中の氷を下方の貯氷容器８へ離脱させた後、逆回転によって再び正規の状態に復帰し、後述のソレノイド式開閉弁装置５１Ａの動作によって、所定量の水が供給されるように動作するものである。
【００１９】
９は自動製氷機７へ供給する製氷用水を貯める給水容器（貯水容器ともいう）であり、横幅に比して奥行きが長い矩形状をなし、冷蔵室３内を区画壁４７Ｂで仕切って形成した小室４６に配置されており、冷蔵室３内の温度で冷却され、冷蔵室３の前面扉１０を開くことによって前方へ取り出すことができる。区画壁４７Ｂで仕切った小室４６の隣には、特定低温室１３が併設されている。
【００２０】
製氷用水は、制御回路装置（図示せず）からの制御信号によってソレノイド式開閉弁装置５１Ａを所定時間開くことにより、給水容器９から自然落下方式によって給水路５１を介して自動製氷機７の製氷皿７Ｂへ供給される。製氷皿７Ｂは、長手方向を列方向として４個２列、５個２列、又は６個２列のように複数の製氷小室に区分されて８乃至１２個の角型氷が作られる合成樹脂製である。また、貯氷容器８は、白色、透明、半透明又はその他の色の合成樹脂製であり、奥行きが左右幅に比して長い上面開口の箱状である。
【００２１】
図３に示すように、冷却貯蔵庫本体２の底部には機械室２８が形成され、この機械室２８には、冷却貯蔵庫１の冷凍装置を構成する冷媒を圧縮する電動圧縮機２４、除霜水を蒸発させるための放熱器２５Ｂを備えた蒸発皿２６、及び送風機８１等がベース板８３上に配置されている。この送風機８１からの風によって、機械室２８内の電動圧縮機２４、及び蒸発皿２６は熱交換されて放熱する。２９、３０は冷却庫内を冷却するために設けた冷凍装置の冷媒の蒸発器（冷却器）である。３１は冷凍室用冷却器である第１蒸発器（冷却器）２９で冷却した冷気を冷却庫内、即ち冷凍室５と製氷室６へ循環する第１送風機である。３２は冷蔵室用冷却器である第２蒸発器（冷却器）３０で冷却した冷気を冷却庫内、即ち冷蔵室３、野菜室４及び特定低温室１３へ循環する第２送風機である。３３は第１蒸発器（冷却器）２９の除霜用ガラス管ヒータ、３４は、第２蒸発器（冷却器）３０の除霜用ガラス管ヒータである。第１蒸発器（冷却器）２９及び第２蒸発器（冷却器）３０の除霜水は排水管２３を通って蒸発皿２６へ導かれてそこで蒸発する。
【００２２】
圧縮機２4、送風機３１、送風機３２、送風機８１が運転（ＯＮ）されると、圧縮機２４で圧縮された高温高圧の冷媒ガスは、放熱器２５Ｂを含む放熱器（図示せず）で放熱され、蒸発皿２６内の除霜水を蒸発させる。放熱器を出た冷媒は、それぞれ第１電動式膨張弁７１の回路と、第２電動式膨張弁７２の回路を通って減圧されて温度が低下し、それぞれ冷凍室用蒸発器（冷却器）２９と冷蔵室用蒸発器（冷却器）３０へ流入する。第１蒸発器（冷却器）２９と第２蒸発器（冷却器）３０へ流入した液冷媒は、そこで蒸発して周囲の空気を冷却する。第１蒸発器（冷却器）２９で蒸発したガス冷媒は、圧縮機２４の吸い込み側へ流入して圧縮される。また、第２蒸発器（冷却器）３０で蒸発したガス冷媒は、圧縮機２４の吸い込み側へ流入して再び圧縮され、上記の冷媒循環を行う。
【００２３】
上記の冷却貯蔵庫１において、電動式膨張弁７１は、制御回路装置（図示せず）からの制御信号によって正転と逆転の動作をするステッピングモータによって、駆動弁が動作してその弁開度が調節されるものであり、蒸発器（冷却器）２９の出口温度又は冷凍室５の温度に応じて前記制御回路装置に設定したデータに基づき、ステッピングモータが正転又は逆転して駆動弁が動作してその弁開度が調節され、適正な冷媒膨張が行われるように制御される。また、電動式膨張弁７２は、制御信号によって正転と逆転の動作をするステッピングモータによって、駆動弁が動作してその弁開度が調節されるものであり、蒸発器（冷却器）３０の入口、出口温度に応じて制御回路装置（図示せず）に設定したデータに基づき、ステッピングモータが正転又は逆転して駆動弁が動作してその弁開度が調節され、適正な冷媒膨張が行われるように制御される。
【００２４】
この冷却貯蔵庫１の冷却運転を説明する。この冷却貯蔵庫１では、冷却運転は、冷凍室５の温度によって開始される。冷凍室５の温度が所定の上限設定温度に上昇すると、前記制御回路装置は冷却運転を開始する。この開始時に、前記制御回路装置は、冷蔵室３の温度を検知し、この冷蔵室３の温度が所定の上限設定温度を超えている場合は、冷蔵室３の冷却を冷凍室５の冷却より先に行い、この冷蔵室３の温度が所定の上限設定温度を超えていない場合は、冷凍室５の冷却を行う。ここで、冷蔵室３の温度が所定の上限設定温度を超えているとする。したがって、前記制御回路装置は、まず冷蔵室３の冷却を行う。制御回路装置は、圧縮機２４を運転（ＯＮ）し、電動式膨張弁７２を前回の冷蔵室冷却時の開度まで開け、第２送風機３２を運転（ＯＮ）する。そして、冷蔵室３が所定の下限設定温度まで低下すると、冷蔵室３の冷却から冷凍室５の冷却に切り替わる。前記制御回路装置は、この時の電動式膨張弁７２の開度の値を格納すると共に、電動式膨張弁７２を全閉し、第２送風機３２を停止（ＯＦＦ）し、電動式膨張弁７１を前回の冷凍室冷却時の開度まで開け、第１送風機３１を運転（ＯＮ）する。これにより、冷凍室５が冷却される。冷凍室５が所定の下限設定温度まで低下すると、冷凍運転を終了する。制御回路装置は、この時の電動式膨張弁７１の開度の値を格納すると共に、電動式膨張弁７１を全閉し、第１送風機３１を停止（ＯＦＦ）し、圧縮機２４を停止（ＯＦＦ）する。
【００２５】
次に、図２及び図３を参照して冷気の循環について説明する。３５は第２蒸発器（冷却器）３０で冷却された冷気が第２送風機３２から導かれる冷気通路（冷気ダクト）であり、冷蔵室３の上壁に沿って幅広く配置され、その前端は冷蔵室３の前面開口部の上面に形成した冷気吹き出し口３６へ連通している。この冷気吹き出し口３６から吹き出す冷気は、冷蔵室３の前面開口部を矢印のように上から下へ流れる冷気カーテン３７を形成する。第１蒸発器（冷却器）２９で冷却した冷気と第２蒸発器（冷却器）３０で冷却した冷気は、夫々第１送風機３１及び第２送風機３２によって矢印のように循環して各室を所定温度に冷却する。
【００２６】
第２蒸発器（冷却器）３０で冷却した冷気を第２送風機３２によって冷蔵室３と野菜室４とに循環させる冷気循環経路の形成に関し、冷蔵室３の背面部には、冷気通路（冷気ダクト）４３が形成され、この左右両側に冷気通路（冷気ダクト）４３Ａ、４３Ｂが形成され、冷気供給通路（冷気ダクト）４３には第２蒸発器（冷却器）３０が収納されて冷却器室を構成している。また、第２蒸発器（冷却器）３０から上方へ延びた冷媒パイプに配置した電動式膨張弁７２が、冷気供給通路（冷気ダクト）４３の背面の窪みにゴム製カバー９０で覆われた状態でネジにて取り付けられている。
【００２７】
第２蒸発器（冷却器）３０で冷却した冷気は、第２送風機３２によって冷蔵室３とその一部分である特定低温室１３とに循環される。その経路は、第２送風機３２を通過した冷気は、一部が冷気通路（冷気ダクト）３５を通って冷気吹き出し口３６から吹き出す。第２送風機３２を通過した冷気の他の部分は、冷蔵室３の背面板４５の裏側の左右の冷気通路４３Ａ、４３Ｂを通って、冷蔵室３の背面板４５に形成した冷気吹き出し口３９から冷蔵室３へ吹き出し、冷気通路４３Ｂを更に下方へ流れた冷気が冷気吹き出し口３９Ａから特定低温室１３へ吹き出す。冷蔵室３と特定低温室１３へ流入した冷気は、冷蔵室３の下部の吸い込み口５０、即ち小室４６と特定低温室１３の背壁に形成した吸い込み口５０から吸込まれ、冷気通路（冷気ダクト）４３の第２蒸発器（冷却器）３０の下部の冷気吸い込み側に流入し、再び第２蒸発器（冷却器）３０で冷却される循環をする。
【００２８】
一方、冷蔵室３へ流入した冷気に一部は、野菜室４へ循環する構成である。図２及び図３では、特定低温室１３へ流入した冷気の一部が、特定低温室１３の背壁に形成した吸い込み口４０から吸込まれ、冷却貯蔵庫本体２の背壁に形成した冷気通路（冷気ダクト）４１Ａを通って吹き出し口４２Ａから野菜室４へ流出する。野菜室４へ流入した冷気は、野菜室４を流れて野菜室４の天井壁に近接した背壁に形成した冷気吸い込み口４２Ｂから冷気帰還通路（冷気帰還ダクト）４１Ｂを通って、冷気通路（冷気ダクト）４３の第２蒸発器（冷却器）３０の下部の冷気吸い込み側に流入し、再び第２蒸発器（冷却器）３０で冷却される循環をする。
【００２９】
第１蒸発器（冷却器）２９で冷却した冷気を第１送風機３１によって冷凍室５へ循環させる冷気循環経路の形成に関し、冷凍室５の背面部には、冷気通路（冷気ダクト）４８が形成され、この冷気供給通路（冷気ダクト）４８には第１蒸発器（冷却器）２９が収納されて冷却器室を構成している。また、第１蒸発器（冷却器）２９から上方へ延びた冷媒パイプに配置した電動式膨張弁７１が、冷気供給通路（冷気ダクト）４８の背面の窪みにゴム製カバー９１で覆われた状態でネジにて取り付けられている。
【００３０】
第１蒸発器（冷却器）２９で冷却した冷気は、第１送風機３１によって冷気吹き出し口３７Ａから冷凍室５へ供給され、冷気吹き出し口３７Ｂから製氷室６へ供給され、それぞれ吸い込み口３８から吸込まれて、第１蒸発器（冷却器）２９の下部の冷気吸い込み側に流入し、再び第１蒸発器（冷却器）２９で冷却される循環をする。
【００３１】
図３に示すように、冷却貯蔵庫本体２の庫内である冷蔵室３の天井部に、冷蔵室３を照明する照明装置６０が配置されている。冷蔵室３の天井部には、冷却貯蔵庫本体２の天井壁２１との間に冷気通路（冷気ダクト）３５を保って冷蔵室３の庫内側に天井板６１が配置され、この天井板６１に照明装置６０が設けられている。天井板６１は、合成樹脂製であり、上面に発泡スチロール等の断熱材を備えて、冷却貯蔵庫本体２の天井壁２１との間に冷気通路（冷気ダクト）３５を形成する。６３は冷蔵室３内を照射する庫内照明灯としてのＬＥＤ（発光ダイオード）であり、基板６４に取り付けられている。ＬＥＤ（発光ダイオード）６３への通電は、基板６４の端子部にハンダ付けにて接続される冷却貯蔵庫本体２の天井壁２１から延びるリード線６２によって行われる。
【００３２】
６５はポリプロピレンなどの合成樹脂製の保持部材であり、図４乃至図６に示すように、ＬＥＤ（発光ダイオード）６３を取り付けた基板６４を収納支持するＬＥＤ支持部６５Ａと、挿入支持部６５Ｂとが薄肉のヒンジ構成部６５Ｃによって回動連結状態に一体形成されている。ＬＥＤ支持部６５Ａと挿入支持部６５Ｂは、上面が開放しヒンジ構成部６５Ｃで連通するように左右両側壁を備え、ＬＥＤ支持部６５Ａの左右両側壁の一部分はそれぞれ分割されて、その上端部に内側向きに突出した係止爪６６Ａを備えた弾性係止部６６を形成している。
【００３３】
図５に示すように、天井板６１の下側面には、冷蔵室３側から挿入支持部６５Ｂが挿入保持される受け部６７と、ＬＥＤ支持部６５Ａの取り付け部６８を備える。受け部６７は前方に開放しており、その前方には取り付け部６８が形成されている。取り付け部６８は、保持部材６５が略いっぱいに収納されるように左右両側と後側に壁６８Ａが巡り、壁６８Ａの内側には、リード線６２の先端に接続した基板６４が挿通される大きさの孔６９が形成され、孔６９の周辺にはＬＥＤ支持部６５Ａと挿入支持部６５Ｂの左右両側壁とＬＥＤ支持部６５Ａの後壁が当接する支持部６８Ｂを備える。天井板６１の前部分には冷気吹き出し口３６が形成されている。
【００３４】
図６に示すように、天井板６１に対する保持部材６５の取り付けに際して、予め、ＬＥＤ（発光ダイオード）６３が取り付けられた基板６４は、冷却貯蔵庫本体２の天井壁２１から延びるリード線６２の先端にハンダ付けにて接続されている。この状態で、冷却貯蔵庫本体２の天井壁２１との間に冷気通路（冷気ダクト）３５を保って冷蔵室３の庫内側に天井板６１が取り付けられる。これによって、冷却貯蔵庫本体２の天井壁２１から延びるリード線６２の先端の基板６４は、天井板６１の孔６９を貫通した状態に配置される。この状態で、図９に示すように、ＬＥＤ（発光ダイオード）６３が保持部材６５のＬＥＤ支持部６５Ａの下壁に形成した窓６５Ａ１に臨む状態に配置され、基板６４をＬＥＤ支持部６５Ａにネジやその他の取り付け手段によって取り付ける。
【００３５】
この基板６４を取り付けた状態で、天井板６１に対する保持部材６５の取り付けは、図９に示すように、ヒンジ構成部６５Ｃの回動機能を利用して、前方から受け部６７へ挿入支持部６５Ｂを挿入する。この挿入深さは、挿入支持部６５Ｂの下面に突出したストッパーとしての突起６５Ｆが、受け部６７の入り口端部に当節して制限される。受け部６７へ挿入支持部６５Ｂを挿入した後、ＬＥＤ支持部６５Ａを壁６８Ａの内側へ収納させる。この際、支持部６８Ｂに保持部材６５の左右両側壁と後壁が当接した状態で、ＬＥＤ支持部６５Ａの両側壁に形成した弾性係止部６６の係止爪６６Ａが、固定側係止部を構成する孔６９の縁部分である支持部６８Ｂに弾性にて係止することにより、保持部材６５が取り付け部６８に保持される。このような保持部材６５の取り付け後、ＬＥＤ（発光ダイオード）６３と保持部材６５を冷蔵室３側から覆うように、光透過性カバー５９を天井板６１に取り付ける。この取り付けは、図１０、図１１に示すように、光透過性カバー５９の周縁部に形成した係止突起５９Ａが天井板６１に形成した係止孔６１Ａに、透過性カバー５９の若干の弾力性で係止することによって達成される。
【００３６】
なお、天井板６１に対する保持部材６５の取り付け安定もために、ＬＥＤ支持部６５Ａの後部に形成した取り付け部６５Ｄの孔を貫通するネジ５８でもって天井板６１の取り付け部６８Ｃに固定してもよい。また、図示の構成では、取り付け部６８を含む天井板６１の形状が複雑化して、取り付け部６８を一体成形し難いために、取り付け部６８を別部材で形成したものを天井板６１の主体部に取り付けて一体として天井板６１を構成しているが、これは、取り付け部６８を一体成形した天井板６１の場合と同等であり、本発明の範囲を変更するものではない。また、上記の保持部材６５の取り付けにおいて、ＬＥＤ（発光ダイオード）６３が窓６５Ａ１に臨むように基板６４をＬＥＤ支持部６５Ａに取り付けた状態で、リード線６２を挿入支持部６５Ｂの左右の壁の内側に沿って配置し、この状態で受け部６７へ挿入支持部６５Ｂを挿入するようにしてもよい。この場合、挿入支持部６５Ｂはリード線６２の配置部としても機能する。
【００３７】
ＬＥＤ（発光ダイオード）６３への通電は、基板６４の端子部にハンダ付けにて接続される冷却貯蔵庫本体２の天井壁２１から延びるリード線６２によって行われる。リード線６２は前記制御回路装置に接続されており、冷蔵室扉１０の開閉で動作する扉スイッチ（図示せず）の開閉動作によって、前記制御回路装置が動作し、冷蔵室扉１０が閉じているときはＬＥＤ（発光ダイオード）６３を消灯（不発光状態）とし、冷蔵室扉１０がある程度以上開いたときはＬＥＤ（発光ダイオード）６３を点灯（発光状態）とするように制御される。
【００３８】
このように、冷却貯蔵庫本体２の天井壁２１との間に冷気通路（冷気ダクト）３５を保って庫内側、即ち冷蔵室３側に天井板６１が配置され、冷却貯蔵庫本体２の天井壁２１から延びるリード線６２が天井板６１を貫通した部分に冷蔵室３の庫内を照射する状態にＬＥＤ（発光ダイオード）６３を配置する保持部材６５が設けられ、この保持部材６５は、ＬＥＤ（発光ダイオード）６３を取り付けた基板６４を収納支持するＬＥＤ支持部６５Ａと挿入支持部６５Ｂとが回動連結状態に一体形成され、天井板６１には、冷蔵室３側から挿入支持部６５Ｂが挿入保持される受け部６７と、ＬＥＤ支持部６５Ａの取り付け部６８を備え、ＬＥＤ（発光ダイオード）６３と保持部材６５とを天井板６１の冷蔵室３側面に取り付けた光透過性カバー５９で覆った照明装置となる。
【００３９】
このような構成の照明装置は、冷蔵室３の天井の中央部に配置した構成でもよいが、冷蔵室３に貯蔵される物品によって冷蔵室３の左右部分の照明効果が低下する場合を考慮して、図１０、図１１に示すように、冷蔵室３の天井の左右にこのような照明装置を配置した構成とすることができる。この場合、部品の共通化や組み立てのし易さ等を考慮して、天井板６１は、略冷蔵室３の横幅に渡る大きさとし、この天井板６１の左右部分に、上記構成のＬＥＤ（発光ダイオード）６３と保持部材６５とをそれぞれ取り付け、これら左右のＬＥＤ（発光ダイオード）６３と保持部材６５とを一枚の光透過性カバーで覆った構成とする。
【産業上の利用可能性】
【００４０】
上記の各実施例は、上記形態の冷蔵室３、冷凍室５、野菜室６等を有する冷却貯蔵庫であるが、本発明は種々の形態の冷却貯蔵庫に適用できるものであり、冷却貯蔵庫の形態はこれに限らず、本発明の技術範囲において種々の冷却貯蔵庫に適用して効果あるものである。
【図面の簡単な説明】
【００４１】
【図１】本発明に係る冷却貯蔵庫の正面図である。（実施例１）
【図２】本発明に係る冷却貯蔵庫本体を正面から見た説明図である。（実施例１）
【図３】本発明に係る冷却貯蔵庫の縦断側面図である。（実施例１）
【図４】本発明に係るＬＥＤ（発光ダイオード）を取り付けた基板と保持部材の斜視図である。（実施例１）
【図５】本発明に係る天井板の取り付け部と保持部材との斜視図である。（実施例１）
【図６】本発明に係る保持部材に基板を収納した状態の斜視図である。（実施例１）
【図７】本発明に係る天井板の下面斜視図である。（実施例１）
【図８】本発明に係る天井板と保持部材と基板の冷蔵室における分解斜視図である。（実施例１）
【図９】本発明に係る天井板に保持部材を取り付ける状態の斜視図である。（実施例１）
【図１０】本発明に係る保持部材を取り付けた状態の天井板と光透過性カバーの分解斜視図である。（実施例１）
【図１１】本発明に係る天井板に光透過性カバーを取り付けた状態の斜視図である。（実施例１）
【符号の説明】
【００４２】
１・・・・・冷却貯蔵庫
２・・・・・冷却貯蔵庫本体
３・・・・・冷蔵室
４・・・・・野菜室
５・・・・・冷凍室
１０・・・・冷蔵室扉
２１・・・・冷却貯蔵庫本体の天井壁
２４・・・・電動圧縮機
２９・・・・第１蒸発器（冷却器）
３０・・・・第２蒸発器（冷却器）
３１・・・・第１送風機
３２・・・・第２送風機
３５・・・・冷気通路（冷気ダクト）
５９・・・・光透過性カバー
６０・・・・照明装置
６１・・・・天井板
６２・・・・リード線
６３・・・・ＬＥＤ（発光ダイオード）
６４・・・・基板
６５・・・・保持部材
６５Ａ・・・ＬＥＤ支持部
６５Ａ１・・窓
６５Ｂ・・・挿入支持部
６６・・・・弾性係止部
６６Ａ・・・係止爪
６７・・・・受け部
６８・・・・取り付け部
６８Ｂ・・・支持部
６９・・・・孔
【図１】
2007057157.tif 000003
【図２】
2007057157.tif 000004
【図３】
2007057157.tif 000005
【図４】
2007057157.tif 000006
【図５】
2007057157.tif 000007
【図６】
2007057157.tif 000008
【図７】
2007057157.tif 000009
【図８】
2007057157.tif 000010
【図９】
2007057157.tif 000011
【図１０】
2007057157.tif 000012
【図１１】
2007057157.tif 000013